(57)【要約】【課題】転写媒体上の画像の不良を判定可能な画像形成装置において、不良と判定されたジョブを把握することを可能とする。【解決手段】ジョブに基づいて転写媒体に画像を形成する画像形成部と、ジョブを管理し、出力済みのジョブの履歴を提示可能にする制御部と、を有し、制御部は、転写媒体上の画像を読みとった読取結果を取得し、読取結果に基づいて画像が不良であるかを判定し、画像が不良であると判定された場合、出力済みのジョブの履歴提示において不良と判定されたジョブを識別可能に提示する。【選択図】図８
2019005905.tif 000002
【特許請求の範囲】
【請求項１】
ジョブに基づいて転写媒体に画像を形成する画像形成部と、
前記ジョブを管理し、出力済みのジョブの履歴を提示可能にする制御部と、を有し、
前記制御部は、前記転写媒体上の画像を読みとった読取結果を取得し、前記読取結果に基づいて前記画像が不良であるかを判定し、前記画像が不良であると判定された場合、出力済みのジョブの履歴提示において不良と判定されたジョブを識別可能に提示することを特徴とする画像形成装置。
【請求項２】
情報を表示する表示部を有し、
前記制御部は、出力済みのジョブの履歴の提示を前記表示部への表示により行うことを特徴とする請求項１記載の画像形成装置。
【請求項３】
前記制御部は、出力済みのジョブの履歴の提示を転写媒体への印刷により行うことを特徴とする請求項１または２に記載の画像形成装置。
【請求項４】
前記制御部は、出力済みのジョブの履歴の提示を外部への送信により行うことを特徴とする請求項１〜３のいずれか１項に記載の画像形成装置。
【請求項５】
前記制御部は、出力済みのジョブの履歴提示において、不良と判定された出力済みのジョブのジョブ情報に識別情報を付加して提示することを特徴とする請求項１〜４のいずれか１項に記載の画像形成装置。
【請求項６】
前記識別情報が、不良であることを示すマーク、色表示、背景色の１または２以上を含むものであることを特徴とする請求項５記載の画像形成装置。
【請求項７】
前記制御部は、出力済みのジョブの履歴提示において、不良と判定された出力済みのジョブのジョブ情報に不良の発生率の情報を付加して提示可能とすることを特徴とする請求項１〜６のいずれか１項に記載の画像形成装置。
【請求項８】
前記制御部は、不良と判定されたジョブのジョブ情報にヤレ情報を付加して提示可能とすることを特徴とする請求項１〜７のいずれか１項に記載の画像形成装置
【請求項９】
前記ヤレ情報が、不良が発生したページ番号、部数、発生位置および不良の画像の１または２以上を含むものであることを特徴とする請求項８に記載の画像形成装置。
【請求項１０】
前記ヤレ情報は、不良と判定されたジョブの詳細提示に付加されて提示されるものであることを特徴とする請求項８または９に記載の画像形成装置。
【請求項１１】
前記制御部は、出力済みのジョブの履歴提示において、不良が発生したジョブの確認の有無を提示可能にすることを特徴とする請求項１〜１０のいずれか１項に記載の画像形成装置。
【請求項１２】
前記制御部は、表示部に複数のタブによって情報の表示を行うことが可能であり、
一つのタブに出力済みのジョブの履歴を表示する場合、前記画像が不良であると判定されたときに、出力済みのジョブの履歴を表示する前記タブを他のタブと識別可能に表示することを特徴とする請求項１〜１１のいずれか１項に記載の画像形成装置。
【請求項１３】
前記制御部は、前記タブを識別可能に表示する場合、前記タブを点滅表示することを特徴とする請求項１２記載の画像形成装置。
【請求項１４】
前記制御部は、出力済みのジョブの履歴提示において、不良と判定されたジョブを抽出して提示可能とすることを特徴とする請求項１〜１３のいずれか１項に記載の画像形成装置。
【請求項１５】
転写媒体上の画像を読み取る画像読取部を備えることを特徴とする請求項１〜１４のいずれか１項に記載の画像形成装置。
【請求項１６】
ジョブを管理し、前記ジョブに基づいて画像形成装置で転写媒体に画像が形成された出力済みのジョブの履歴を提示可能にする管理制御部を有し、
前記管理制御部は、前記転写媒体上の画像を読みとった読取結果を取得し、前記読取結果に基づいて、前記画像が不良であるかを判定し、前記画像が不良であると判定された場合、出力済みのジョブの履歴提示において不良と判定されたジョブを識別可能に提示することを特徴とする管理装置。
【請求項１７】
ジョブを管理し、前記ジョブに基づいて画像形成装置で転写媒体に画像が形成された出力済みのジョブの履歴を提示可能な制御部で実行されるプログラムであって、
転写媒体上の画像を読み取った読取結果を取得するステップと、
前記読取結果に基づいて、前記画像が不良であるかを判定するステップと、
出力済みのジョブの履歴を提示するステップと、を有し、
前記画像が不良であると判定された場合、出力済みのジョブの履歴を提示する際に、不良と判定されたジョブを識別可能に提示することを特徴とするプログラム。
【請求項１８】
前記ジョブの提示が、表示、印刷および外部への送信の１または２以上であることを特徴とする請求項１７記載のプログラム。
【発明の詳細な説明】
【技術分野】
【０００１】
この発明は、転写媒体上の画像の不良を判定可能な画像形成装置、管理装置およびプログラムに関する。
【背景技術】
【０００２】
用紙に画像を印刷する画像形成装置の分野では、出力された印刷物が正しく印刷されているかを確認することが課題の一つである。そのため、印刷物の画像の良否を確認するための様々な方法が提案されている。
例えば、特許文献１では、印刷ジョブを出力する際に、標本としてページデータを抽出し、抽出したページデータをディスプレイに表示可能とし、出力された印刷物と対比確認することを可能としている。しかし、印刷物の対比確認を行うためにユーザーが機械に張り付いている必要があり、運用しづらいという欠点がある。
【０００３】
また、特許文献２では、出力された印刷物の画像をスキャナーで読み取り、読み取った画像を縮小してサムネイルを生成し、ジョブの出力完了後にサムネイルを印刷出力することが開示されている。特許文献２の技術では、複数ジョブを出力する場合であってもジョブの出力完了後にまとめてヤレの確認を行うことで、生産性を落とさずに効率よくヤレの確認を行うことができる。ただし、縮小されたサムネイルでは高精度でヤレを検出することが難しいという欠点がある。
【先行技術文献】
【特許文献】
【０００４】
【特許文献１】特開２００７−１５２８８２号公報
【特許文献２】特開２００６−１６８１５７号公報
【発明の概要】
【発明が解決しようとする課題】
【０００５】
ところで、印刷物の良否を判定する方法として、画像形成装置で印刷された画像を後段のヤレ検知センサー（スキャナー等）で読み取り、印刷用の画像データと読み取った画像データとの比較を行うことで、印刷不良等によりヤレ（不良）となった印刷物を自動で検出することが可能なシステムが提案されている。
このようなシステムでは自動でヤレを検出できるが、ジョブの出力完了後にヤレ検出された画像の検品を行う場合、どのジョブでヤレを検知したのか等、ヤレの情報を確認することが難しいという問題がある。
【０００６】
本発明は上記課題を背景としてなされたものであり、転写媒体上の画像の不良を判定した場合に、不良と判定されたジョブを容易に把握することが可能な画像形成装置、管理装置およびプログラムを提供することを目的とする。
【課題を解決するための手段】
【０００７】
すなわち、本発明の画像形成装置のうち、第１の形態は、
ジョブに基づいて転写媒体に画像を形成する画像形成部と、
前記ジョブを管理し、出力済みのジョブの履歴を提示可能にする制御部と、を有し、
前記制御部は、前記転写媒体上の画像を読みとった読取結果を取得し、前記読取結果に基づいて前記画像が不良であるかを判定し、前記画像が不良であると判定された場合、出力済みのジョブの履歴提示において不良と判定されたジョブを識別可能に提示することを特徴とする。
【０００８】
他の形態の画像形成装置の発明は、前記形態の発明において、情報を表示する表示部を有し、
前記制御部は、出力済みのジョブの履歴の提示を前記表示部への表示により行うことを特徴とする。
【０００９】
他の形態の画像形成装置の発明は、前記形態の発明において、前記制御部は、出力済みのジョブの履歴の提示を転写媒体への印刷により行うことを特徴とする。
【００１０】
他の形態の画像形成装置の発明は、前記形態の発明において、前記制御部は、出力済みのジョブの履歴の提示を外部への送信により行うことを特徴とする。
【００１１】
他の形態の画像形成装置の発明は、前記形態の発明において、前記制御部は、出力済みのジョブの履歴提示において、不良と判定された出力済みのジョブのジョブ情報に識別情報を付加して提示することを特徴とする。
【００１２】
他の形態の画像形成装置の発明は、前記形態の発明において、前記識別情報が、不良であることを示すマーク、色表示、背景色の１または２以上を含むものであることを特徴とする。
【００１３】
他の形態の画像形成装置の発明は、前記形態の発明において、前記制御部は、出力済みのジョブの履歴提示において、不良と判定された出力済みのジョブのジョブ情報に不良の発生率の情報を付加して提示可能とすることを特徴とする。
【００１４】
他の形態の画像形成装置の発明は、前記形態の発明において、前記制御部は、不良と判定されたジョブのジョブ情報にヤレ情報を付加して提示可能とすることを特徴とする。
【００１５】
他の形態の画像形成装置の発明は、前記形態の発明において、前記ヤレ情報が、不良が発生したページ番号、部数、発生位置および不良の画像の１または２以上を含むものであることを特徴とする。
【００１６】
他の形態の画像形成装置の発明は、前記形態の発明において、前記ヤレ情報は、不良と判定されたジョブの詳細提示に付加されて提示されるものであることを特徴とする。
【００１７】
他の形態の画像形成装置の発明は、前記形態の発明において、前記制御部は、出力済みのジョブの履歴提示において、不良が発生したジョブの確認の有無を提示可能にすることを特徴とする。
【００１８】
他の形態の画像形成装置の発明は、前記形態の発明において、前記制御部は、表示部に複数のタブによって情報の表示を行うことが可能であり、
一つのタブに出力済みのジョブの履歴を表示する場合、前記画像が不良であると判定されたときに、出力済みのジョブの履歴を表示する前記タブを他のタブと識別可能に表示することを特徴とする。
【００１９】
他の形態の画像形成装置の発明は、前記形態の発明において、前記制御部は、前記タブを識別可能に表示する場合、前記タブを点滅表示することを特徴とする。
【００２０】
他の形態の画像形成装置の発明は、前記形態の発明において、前記制御部は、出力済みのジョブの履歴提示において、不良と判定されたジョブを抽出して提示可能とすることを特徴とする。
【００２１】
他の形態の画像形成装置の発明は、前記形態の発明において、転写媒体上の画像を読み取る画像読取部を備えることを特徴とする。
【００２２】
本発明の管理装置のうち、第１の形態は、ジョブを管理し、前記ジョブに基づいて画像形成装置で転写媒体に画像が形成された出力済みのジョブの履歴を提示可能にする管理制御部を有し、
前記管理制御部は、前記転写媒体上の画像を読みとった読取結果を取得し、前記読取結果に基づいて、前記画像が不良であるかを判定し、前記画像が不良であると判定された場合、出力済みのジョブの履歴提示において不良と判定されたジョブを識別可能に提示することを特徴とする。
【００２３】
本発明のプログラムのうち、第１の形態は、ジョブを管理し、前記ジョブに基づいて画像形成装置で転写媒体に画像が形成された出力済みのジョブの履歴を提示可能な制御部で実行されるプログラムであって、
転写媒体上の画像を読み取った読取結果を取得するステップと、
前記読取結果に基づいて、前記画像が不良であるかを判定するステップと、
出力済みのジョブの履歴を提示するステップと、を有し、
前記画像が不良であると判定された場合、出力済みのジョブの履歴を提示する際に、不良と判定されたジョブを識別可能に提示することを特徴とする
【００２４】
他の形態のプログラムの発明は、前記形態の発明において、前記ジョブの提示が、表示、印刷および外部への送信の１または２以上であることを特徴とする。
【発明の効果】
【００２５】
本発明によれば、出力済みジョブの履歴提示において不良と判定されたジョブを識別することができ、ジョブの出力完了後にヤレの確認を行う場合であっても、ヤレの確認を容易に行うことが可能となる。
【図面の簡単な説明】
【００２６】
【図１】本発明の一実施形態の画像形成装置の機械的構成の概略を示す図である。
【図２】同じく、機能ブロック図である。
【図３】同じく、ジョブの出力履歴表示画面を示す図である。
【図４】同じく、ジョブの出力履歴表示画面の他の例を示す図である。
【図５】同じく、ジョブの出力履歴表示画面の他の例を示す図である。
【図６】同じく、ジョブの出力履歴表示画面の他の例を示す図である。
【図７】同じく、出力したジョブのチケット詳細表示画面を示す図である。
【図８】同じく、ジョブのヤレ出力履歴リストを表示した画面を示す図である。
【図９】同じく、出力したジョブ情報にヤレ情報を付加して表示する手順を示すフローチャートである。
【図１０】同じく、ヤレリストの表示を行う手順を示すフローチャートである。
【図１１】同じく、ヤレを検知した際にジョブリストのタブを点滅させる手順を示すフローチャートである。
【発明を実施するための形態】
【００２７】
本発明の一実施形態の画像形成装置を添付図面に基づいて説明する。
図１は、画像形成装置１の機械的構成の概略を示す図である。
画像形成装置１は、用紙の搬送方向の上流側からの順番で、装置本体１０と、中継装置２０と、読取装置３０とを備えている。各装置は機械的および電気的に接続されており、装置間での通信および用紙の搬送が可能となっている。
【００２８】
なお、本発明の画像形成装置１の構成は上記構成に限定されず、他の装置を更に備えるものであってもよい。例えば、装置本体１０の前段に用紙を給紙する給紙装置が備えられていてもよく、読取装置３０の後段に後処理装置が備えられていてもよい。また、装置本体１０のみによって画像形成装置１を構成し、中継装置２０と読取装置３０とともに画像形成システムを構成するとしてもよい。また、本発明では、読取装置が画像形成装置にインラインで機械的に接続されているものでなくてもよく、読み取り結果を画像形成装置で取得可能なものであればよい。
【００２９】
装置本体１０は、筐体の上部に、情報の表示および操作入力の受付を行う操作部１４０を備えている。操作部１４０は、各種の操作画面を表示可能なタッチパネル式のＬＣＤ１４１を有している。ＬＣＤ１４１は本発明の表示部および操作部に相当する。
【００３０】
装置本体１０の筐体の上部には、さらに、自動原稿給送部（ＡＤＦ）１３５を備えている。自動原稿給送部（ＡＤＦ）１３５は、セットされた原稿を自動で給送することができ、給送される原稿はスキャナー部１３０のＣＣＤによって読み取りが行われる。
また、装置本体１０の上部にはプラテンガラス１３７が備えられており、原稿の読み取りは、プラテンガラス上に原稿をセットすることによっても行うことができる。
なお、スキャナー部１３０は、原稿を読み込むために用いられるが、出力された印刷部の画像を読み込むものに使用することができる。この場合、スキャナー部１３０は読取装置に相当する。
【００３１】
装置本体の下部側には、用紙を収納する本体給紙部１２が備えられている。本体給紙部１２は、収納された用紙を搬送路１３へ供給することができる。
用紙は、本発明の転写媒体に相当する。なお、本発明としては転写媒体の材質は紙に限定されず、布やプラスチック製の転写媒体を用いることが可能である。
【００３２】
装置本体１０の内部には搬送路１３が設けられている。搬送路１３の周囲には搬送ローラーが設けられており、搬送路１３では、搬送ローラーが駆動されることにより、本体給紙部１２から供給される用紙を搬送する。
【００３３】
搬送路１３の中途には、画像形成部１１が設けられている。
画像形成部１１は、各色用の感光体１１ａを有しており、各色用の感光体１１ａの周囲には、反時計回りの方向の順に、帯電器１１ｂ、露光部１１ｃ、現像部１１ｄ、およびクリーニング部１１ｅが設けられている。感光体１１ａは、現像部１１ｄとクリーニング部１１ｅとの間で中間転写ベルト１１ｆに接触している。なお、図では、１つの色用に備えられた感光体、帯電器、露光部、現像部について符号を付しており、他の色用においても同様の構造を有しており、中間転写ベルトに沿って備えられている。
【００３４】
中間転写ベルト１１ｆは、二次転写部１１ｇにおいて搬送路１３上の用紙に接触することができる。搬送路１３において二次転写部１１ｇの搬送方向下流側の位置に定着器１１ｈが備えられている。
用紙に画像を形成する場合、感光体１１ａの表面を帯電器１１ｂによって帯電した後に、露光部１１ｃによって感光体１１ａの表面に潜像を形成する。その後、形成された潜像を現像部１１ｄによって現像してトナー像とする。感光体１１ａ上のトナー像は、中間転写ベルト１１ｆに転写される。これらの動作は他色用の感光体１１ａ上においても行われ、各色のトナー像が重ねて中間転写ベルト１１ｆに転写される。中間転写ベルト１１ｆ上のトナー像は、二次転写部１１ｇにおいて用紙に転写され、転写された用紙の画像は定着器１１ｈにより加熱されて定着される。
【００３５】
定着器１１ｈの下流側では、搬送路１３から反転搬送路１３ａが分岐している。反転搬送路１３ａには反転部１３ｂが設けられており、反転部に送り込まれた用紙の先後が変わって表裏面が反転する。反転搬送路１３ａの下流側は、画像形成部１１よりも上流側の位置で搬送路１３に合流している。
用紙の裏面へ画像を形成する場合は、定着器１１ｈを経た用紙が反転搬送路１３ａに導入され、反転部１３ｂで用紙の先後を入れ替えて用紙の表裏が反転された状態で搬送路１３の上流側に環流され、画像形成部１１において用紙の裏面側に画像形成が行われる。
用紙の表裏の反転のみを行う場合は、用紙を反転搬送路１３ａに導入し、表裏が反転された状態でそのまま定着器１１ｈの下流側の搬送路１３に搬送する。
用紙の表裏の反転または裏面への画像形成を行わない場合は、用紙を反転搬送路１３ａに送ることなくそのままストレートで搬送する。
【００３６】
搬送路１３は後段の中継装置２０の搬送路２３に接続されており、装置本体１０から排出される用紙は中継装置２０の搬送路２３に搬送される。中継装置２０では、必要に応じて搬送路２３で用紙を反転して下流側に搬送する。
中継装置２０では搬送路２３は後段の読取装置３０の搬送路３３に接続されており、中継装置２０を経た用紙は後段の読取装置３０に導入される。
【００３７】
読取装置３０は、搬送路３３の途中に、用紙の搬送方向の上流側から順に、用紙の下面の画像を読み取る画像読取部３１と、用紙の上面の画像を読み取る画像読取部３２と、用紙上面の測色を行う測色計３４とが備えられている。画像読取部３１は、搬送路３３で送られる用紙の下面の画像を読み取り、画像読取部３２は、搬送路３３で送られる用紙の上面の画像を読み取り、測色計３４は、搬送路３３で送られる用紙の上面の画像を測色する。
画像読取部３１、３２は、例えば、ＣＭＯＳセンサーやＣＣＤセンサー等のラインセンサーにより構成することができる。画像読取部３１、３２、測色計３４で取得した読み取りデータは、読取結果として制御ＣＰＵ１１３に送信され、画像の不良（ヤレ）の判定や各種の調整に用いられる。読取装置３０から排出される用紙は、図示しない排紙トレイに排紙される。
【００３８】
なお、本実施形態では、読取装置３０内に画像読取部３１、３２が設けられているが、画像読取部の位置は読取装置に設けられているものに限定されず、例えば装置本体１０や中継装置２０内に画像読取部が設けられていてもよい。
【００３９】
次に、画像形成装置１の機能ブロックを図２に基づいて説明する。
画像形成装置１は、主要な構成として、制御ブロック１１０とスキャナー部１３０と操作部１４０とプリンター部１５０とを有するデジタルコピア本体と、外部装置４との間で入出力される画像データの処理を行う画像処理部（プリント＆スキャナーコントローラー）１６０と、を備えている。画像処理部（プリント＆スキャナーコントローラー）１６０にはネットワーク３を通じて外部装置４が接続されている。
【００４０】
制御ブロック１１０は、画像処理部（プリント＆スキャナーコントローラー）１６０に接続されたＰＣＩバス１１２を有している。ＰＣＩバス１１２にはＤＲＡＭ制御ＩＣ１１１が接続されており、ＤＲＡＭ制御ＩＣ１１１には、ＤＲＡＭからなる画像メモリー１２０が接続されている。
画像メモリー１２０は、圧縮された画像データを格納する圧縮メモリー１２１と、画像形成用の非圧縮のデータを格納するページメモリー１２２とによって構成される。
【００４１】
また、ＰＣＩバス１１２には、コントローラーＩＣ１１８が接続されており、コントローラーＩＣ１１８にはＨＤＤ１２７が接続されている。コントローラーＩＣ１１８はＨＤＤ１２７へのデータの書き込みおよび読み出しを制御するものであり、ＨＤＤ１２７には、外部装置４から取得した画像データやスキャナー部１３０で読み取った画像データ等を格納することができる。ＨＤＤ１２７にプログラムやパラメータ等を格納することも可能である。
【００４２】
制御ブロック１１０は、制御ＣＰＵ１１３を備えている。制御ＣＰＵ１１３は、ＣＰＵや、ＲＯＭ、ＲＡＭ等の記憶部によって構成されており、制御ＣＰＵ１１３にはＤＲＡＭ制御ＩＣ１１１が接続されている。
また、制御ＣＰＵ１１３には、データを不揮発に記憶する不揮発メモリー１１５が接続されている。不揮発メモリー１１５には、画像形成装置１の各部を動作させる各種のプログラムや設定データ、パラメータ等が格納されており、制御ＣＰＵ１１３は、不揮発メモリー１１５に格納されたプログラムを読み出して画像形成装置１の各部の制御を行う。
【００４３】
また、不揮発メモリー１１５には、ジョブの出力履歴の表示や、用紙上の画像の読取結果に基づいて画像が不良であるかを判定するプログラムや、ジョブにおける不良（ヤレ）の検出率を算出するプログラム、動作パラメータなどが格納されている。
画像が不良であるかの判定方法は特に限定されるものではなく、パターンマッチング等の既知の方法などを使用することができ、不良と判定される際の閾値などを設定することができる。前記閾値はユーザーが変更可能とするものであってもよい。
【００４４】
さらに、不揮発メモリー１１５には、ジョブの出力履歴情報や、検知した不良（ヤレ）の内容に関する情報等が読み書き可能に記録されており、制御ＣＰＵ１１３は、不揮発メモリー１１５に記憶された履歴情報やヤレ情報に基づいて、履歴情報の表示を行うように制御することができる。履歴情報は、操作部１４０への表示の他、転写媒体への印刷や、外部への送信が可能である。なお、ヤレに関する情報は、ジョブの出力履歴情報に関連付けて保存するようにしてもよい。
制御ＣＰＵ１１３および制御ＣＰＵ１１３で実行されるプログラムは、この実施形態では本発明の制御部を構成する。なお、プログラムの格納場所は本発明としては特に限定されるものではなく、例えばＨＤＤ１２７に格納されていてもよく、または移動可能でリムーバブルな記憶媒体に格納されて流通するものであってもよい。
【００４５】
制御ＣＰＵ１１３には、さらに、ＲＴＣ１２５（日時データ発生装置）が接続されている。ＲＴＣ１２５はコンピュータ内で時計として動作し、日時データを制御ＣＰＵ１１３へ送信することができる。
【００４６】
制御ＣＰＵ１１３には、スキャナー部１３０のスキャナー制御部１３２がシリアル通信可能に接続されている。
スキャナー部１３０は、用紙上の画像を光学的に読み取るＣＣＤ１３１と、スキャナー部全体の制御を行うスキャナー制御部１３２とを有している。スキャナー制御部１３２は制御ＣＰＵ１１３によって制御され、ＣＣＤ１３１における画像の読み取りを行うことができる。スキャナー制御部１３２は、ＣＰＵや、ＣＰＵで動作するプログラム等によって構成される。読み取った画像データは読み取り処理部１１６において所定の処理が行われる。
【００４７】
制御ＣＰＵ１１３には、さらに、操作部１４０の操作部制御部１４２がシリアル通信可能に接続されている。
操作部１４０は、情報を表示するＬＣＤ１４１と、操作部１４０の全体を制御する操作部制御部１４２とを有している。操作部制御部１４２は制御ＣＰＵ１１３の指示を受けて、ＬＣＤ１４１における表示や操作入力を制御する。操作部制御部１４２は、ＣＰＵやＣＰＵで動作するプログラムによって構成される。
【００４８】
制御ＣＰＵ１１３には、さらに、プリンター部１５０のプリンター制御部１５２が接続されている。
プリンター部１５０は、ＬＤ１５１とプリンター制御部１５２とを備えている。ＬＤ１５１は図１の露光部１１ｃに含まれている。ＬＤ１５１は、書き込み処理部１２３で処理された画像データに基づいて、感光体１１ａ上に潜像を形成する。
プリンター制御部１５２は、制御ＣＰＵ１１３の制御指令を受けてプリンター部１５０の制御を行うことができる。したがって制御ＣＰＵ１１３は、画像形成動作や用紙の搬送等の制御を行うことができる。
プリンター部１５０は、画像形成部１１や給紙トレイ、用紙を搬送する機構などによって構成される。
【００４９】
ＤＲＡＭ制御ＩＣ１１１には、読み取り処理部１１６と、書き込み処理部１２３と、圧縮／伸長ＩＣ１１７とが接続されている。
読み取り処理部１１６はスキャナー部１３０等で読み取った画像データに対してＡ／Ｄ変換やシェーディング等の所定の処理を行う。
書き込み処理部１２３は、画像形成部１１での画像形成に適したデータに変換したり補正したりする。
圧縮／伸長ＩＣ１１７は、画像データの圧縮または圧縮画像データの伸長を行う。圧縮された画像データは画像メモリー１２０の圧縮メモリー１２１やＨＤＤ１２７に格納される。
【００５０】
ＰＣＩバス１１２には、画像処理部（プリント＆スキャナーコントローラー）１６０のＤＲＡＭ制御ＩＣ１６１が接続されている。
画像処理部（プリント＆スキャナーコントローラー）１６０では、ＤＲＡＭ制御ＩＣ１６１に、画像メモリー（ＤＲＡＭ）１６２と、コントローラー制御部１６３と、ＬＡＮ制御部１６４が接続されており、ＬＡＮ制御部１６４にはＬＡＮインターフェース１６５が接続されている。
ＬＡＮインターフェース１６５は、ネットワーク３に接続されており、ネットワーク３には外部装置４が接続されている。
【００５１】
ＰＣＩバス１１２には、さらに、Ｉ／Ｏ１２８が接続されている。Ｉ／Ｏ１２８は、装置本体１０以外の装置との間での通信を行うポートであり、Ｉ／Ｏ１２８を通じて、例えば読取装置３０の画像読取部３１、３２や測色計３４で読み取りを行った読み取り画像データを読取結果として制御ＣＰＵ１１３で取得することができる。
【００５２】
外部装置４は、外部装置４を制御する外部制御部４００と、情報を表示する外部表示部４１０とを備えている。
外部制御部４００は、ＣＰＵや記憶部、ＣＰＵで動作するプログラム等によって構成され、外部表示部４１０はＬＣＤ等によって構成される。外部表示部４１０には出力したジョブの履歴を表示可能としてもよい。
外部装置４は、端末として機能することができるほか、少なくとも画像形成装置１のジョブの管理する管理装置として機能するものであってもよい。管理装置では、画像形成装置における画像形成を指示、制御するものであってもよい。また、外部装置５で画像形成装置１を制御する場合、外部装置制御部４００には、本発明のプログラムが格納されて実行される。また、外部表示部４１０を本発明の表示部として機能させることも可能である。
また、画像形成装置１では、外部装置４以外に、ネットワークを介して表示装置や遠隔装置などを接続することができる。
【００５３】
次に、画像形成装置１の基本的な動作について説明する。
まず、画像形成装置１で画像データを蓄積する手順について説明する。
スキャナー部１３０において原稿の画像の読み取りを行う場合、スキャナー部１３０によって読み取った画像データは読み取り処理部１１６に送られて所定の処理が行われる。処理が行われた画像データは、ＤＲＡＭ制御ＩＣ１１１を介して圧縮／伸長ＩＣ１１７へ送られ、圧縮／伸長ＩＣ１１７において圧縮処理が行われる。圧縮された画像データは、圧縮メモリー１２１またはＨＤＤ１２７に格納される。格納された画像データは、制御ＣＰＵ１１３により印刷条件とともにジョブとして管理される。
【００５４】
外部から画像データを取得する場合、例えば外部装置４から画像データを取得する場合は、画像データは画像処理部（プリント＆スキャナーコントローラ）１６０のＬＡＮＩＦで受信され、その後、ＬＡＮ制御部１６４を経由して画像メモリー（ＤＲＡＭ）１６２に一旦格納される。その後、ＤＲＡＭ制御ＩＣ１６１の制御によって画像メモリー（ＤＲＡＭ）１６２に格納された画像データが読み出され、ＤＲＡＭ制御ＩＣ１１１を介して圧縮／伸長ＩＣ１１７に順次送られて圧縮処理される。圧縮後の画像データは、ＤＲＡＭ制御ＩＣ１１１を介して圧縮メモリー１２１やＨＤＤ１１９に格納され、上記と同様に制御ＣＰＵ１１３による管理がなされる。
【００５５】
画像形成装置１で画像出力を行う場合、圧縮メモリー１２１やＨＤＤ１１９に格納された画像データを、ＤＲＡＭ制御ＩＣ１１１を介して圧縮／伸長ＩＣ１１７に送出して画像データを展開し、展開された画像データを書き込み処理部１２３にて繰り返しＬＤ１５４Ａに展開する。その後、ＬＤ１５１Ａにおいて画像データに基づいて感光体へ潜像を形成し、画像形成部１１において現像、転写、定着等を経ることで、用紙に画像が形成されて印刷物が得られる。出力されたジョブは、制御ＣＰＵ１１３で管理され、出力済みのジョブとして不揮発メモリー１１５やＨＤＤ１２７に読み取り可能に格納する。
また、操作部１４０において、出力済みジョブのタブを作成し、このタブ中に出力済みジョブの履歴のリスト表示を行う。このタブは、他のタブが重なって当該タブを押下した場合などに最上面に表示するようにしてもよく、ジョブの出力完了に伴って出力済みのジョブの履歴をリスト表示したタブを自動的に最上面に表示するようにしてもよい。
【００５６】
用紙は、その後、中継装置２０を経て読取装置３０に搬送される。読取装置３０では、用紙の裏面片面に画像が形成されている場合は、画像読取部３１で画像を読み取り、用紙の表面片面に画像が形成されている場合は、画像読取部３２で画像を読み取る。用紙の両面に画像が形成されている場合は、画像読取部３１、３２で画像を読み取る。また、測色計３４によって画像の測色を行う場合は、測色を行う面が上面側になるように搬送して測色計３４により測色を行う。
画像読取部３１、３２、測色計３４の読取結果は読取装置３０から装置本体１０に送信され、Ｉ／Ｏ１２８を介して読取結果が制御ＣＰＵ１１３で取得される。制御ＣＰＵ１１３では、読取結果に基づいて画像の調整やヤレの判定を行う。
【００５７】
次に、ヤレが検知され場合、出力履歴の表示においてヤレが含まれるジョブを識別可能に表示する動作について説明する。履歴の提示は、ジョブの終了後などの所定のタイミングで、自動で行ってもよく、ユーザーの操作に基づいて行ってもよい。
【００５８】
制御ＣＰＵ１１３では、読取装置３０で読み取った読取結果と印刷用画像データとの比較などによって画像に不良がないかを判定する。ただし、画像の不良（ヤレ）を検知した場合はユーザーがヤレ画像の確認を行う必要があり、ユーザーによるヤレの確認は、生産性の観点から、すべてのジョブの出力完了後にまとめて行うことが望ましい。そのため、複数のジョブを出力した場合であっても、作成された生成物のうち、どのジョブのどこでヤレを検知したか等を容易に確認できるようにすることが求められる。
本実施形態では、ヤレが検出された場合、ジョブの出力履歴の表示画面において、ヤレが含まれるジョブを識別可能に表示し、さらにはジョブの出力履歴の表示画面において、ヤレ情報をジョブの履歴に付加して表示することで、ヤレ情報を容易に確認することを可能にする。
【００５９】
出力履歴においてヤレが検出されたジョブを識別可能に提示する方法としては、例えば、ヤレが検出されたジョブの表示にマークを付与する方法がある。マークは、本発明の識別情報に相当する。
図３は、出力履歴表示画面の一例を示す図である。なお、この画面は操作部１４０のＬＣＤ１４１に表示させてもよく、外部装置４の外部表示部４１０や、ネットワーク３に接続された他の機器の表示部に表示させてもよい。他の操作画面についても同様である。
【００６０】
図３の表示画面１４００においては、ジョブリストタブ１４１０内の出力履歴タブ１４１１が選択されており、出力履歴タブ１４１１の表示画面に出力履歴リスト１４２０が表示されている。出力履歴リスト１４２０の右側には、ジョブの詳細情報を表示するための詳細釦１４３０およびヤレが検出されたジョブのみを抽出するヤレリスト表示釦１４４０が押下可能に表示されている。
【００６１】
出力履歴表示リスト１４２０には、ヤレ検知の有無を示すヤレ検知表示欄１４２１が設けられている。この例では、ファイル名が「テスト００２」のジョブにおいて、ヤレ検知表示欄１４２１にマーク１４２２が表示されている。マーク１４２２の表示により、ユーザーは、「テスト００２」のジョブにヤレが含まれていることを把握することができる。
なお、図３では、マークとして「※」を用いているが、本発明としてはマークの種類は特に限定されず、他の種類の記号を用いてもよく、さらに、マークの表示を行う代わりに、ヤレが検知されたジョブの表示色や背景色を変更することによってヤレを含むジョブであることを示してもよい。この場合、表示色や背景色は本発明の識別情報に相当する。なお、マークの表示と、文字の色の変更と、背景色の変更とのうちの二つ以上を同時に行っても良い。
【００６２】
さらに、出力履歴を提示する際に、ヤレが検知されたジョブであることを示すマークのほかに、ヤレの発生率を提示してもよい。
図４は、出力履歴画面においてヤレ検出率を表示した場合の表示画面１５００を示しており、出力履歴タブ１５１１の表示画面には出力履歴リスト１５２０が表示されている。
詳細釦１５３０は、ジョブの詳細情報を表示するため操作釦であり、ヤレリスト表示釦１５４０はヤレが検出されたジョブのみを抽出する操作釦である。
図４では、ファイル名が「テスト００４」のジョブの先頭のヤレ検知表示欄１５２１にマーク１５２２が表示されているほか、ヤレ検出率表示欄１５２３において、ヤレ検出率１５２４が表示されている。ここでは、「１５／２００」と表示されており、２００画像中の１５画像がヤレと検出されたことを示している。
ヤレの検出率を出力済み履歴表示に付加して表示することで、ユーザーはヤレの検出率を容易に把握することができ、ヤレ確認の優先度を判断することや、ヤレ検出率が高い場合には機械の故障を予知することが可能となる。ヤレ検知率の表示は、％表示などで行ってもよい。
【００６３】
図５は、ヤレの検知率を％表示した場合の表示画面１６００の例を示す図である。
表示画面１６００では、出力履歴タブ１６１１の表示画面には出力履歴リスト１６２０が表示されている。詳細釦１６３０は、ジョブの詳細情報を表示するため操作釦であり、ヤレリスト表示釦１６４０はヤレが検出されたジョブのみを抽出する操作釦である。
図５では、「テスト００５」のジョブにおいて、ヤレ検知表示欄１６２１に、ヤレが検出されたジョブであることを示すマーク１６２２が表示されており、さらに、ヤレ検出率表示欄１６２３において、ヤレ検出率１６２４が表示され、ヤレの検出率が４０％であることが表示されている。詳細釦１６３０は、ジョブの詳細情報を表示するため操作釦であり、ヤレリスト表示釦１６４０はヤレが検出されたジョブのみを抽出する操作釦である。
なお、図４、図５に示した例では、ヤレ検知表示欄とヤレ検出率の両方を表示するものについて説明したが、ヤレ検出率のみを表示するものとしてもよい。この場合、ヤレ検出率の表示によりそのジョブでヤレが発生していることを把握することができ、ヤレ検出率は、本発明の識別情報に相当する。
【００６４】
さらに、他の形態では、出力履歴の表示の際に、ヤレが検知されたジョブの表示に、ヤレ画像の確認有無を付加して表示している。
図６は、表示画面１７００では、出力履歴タブ１７１１の表示画面には出力履歴リスト１７２０が表示されている。詳細釦１７３０は、ジョブの詳細情報を表示するため操作釦であり、ヤレリスト表示釦１７４０はヤレが検出されたジョブのみを抽出する操作釦である。
さらに、表示場面１７００では、ファイル名が「テスト００２」のジョブのヤレ検知表示欄１７２１に、マーク１７２２が表示され、ファイル名が「テスト００６」のジョブにチェックマーク１７２５が表示されている。ヤレ検知表示欄の表示によって、「テスト００２」および「テスト００６」のジョブにヤレが検出されたことが示されている。
【００６５】
ただし、この画面では、「テスト００２」のジョブに付加されている「※」のマークはユーザーがヤレを未確認であることを示しており、「テスト００６」のジョブに付加されているチェックマークは、ヤレが発生し、かつユーザーがヤレを確認済みであることを示している。ヤレが確認済みであるかは、例えば、後述する図７の詳細表示画面においてユーザーが確認釦を押下することにより行うことができ、ヤレが確認済みであると選択されると、「※」マークがチェックマークに変更される。また、該当するジョブのリストで詳細釦が押されると、確認がなされたものとして確認済みにするようにしてもよい。
ヤレが確認済みであることを表示することで、ユーザーが確認作業や確認動作を行ったことを容易に把握することができる。
【００６６】
また、本発明では、出力履歴の表示の際に、不良と判定された出力済みのジョブ情報にヤレの情報を付加して表示することが可能である。ヤレの内容に関する情報としては、例えば、ヤレが検出されたページ番号や部数、ヤレの発生位置に関する情報がこれに含まれる。これらの情報によりヤレの検出位置が容易に把握される。ヤレ情報は、出力済みジョブに対応する詳細画面に表示することができる。詳細画面は、本発明のジョブの詳細表示に相当する。
【００６７】
図７は、ジョブ詳細画面１８００を示すものである。ジョブ詳細画面１８００は、図４〜図６の表示画面１４００、１５００、１６００または表示画面１７００において、所定のジョブを選択して詳細釦１４３０、１５３０、１６３０または詳細釦１７３０を押下することにより表示される。
図７では、表示画面１４００または表示画面１７００において、「テスト００２」のジョブを選択した上で、詳細釦１４００または詳細釦１７００を押下することにより表示される。
【００６８】
ジョブ詳細画面１８００では、ジョブの基本設定や用紙設定、出力設定とともに、ヤレ情報１８１０が表示されている。ヤレ情報としては、ヤレが検出されたページの番号（１ページおよび５ページ）と、ページ内におけるヤレの位置（１ページでは画像の右下、５ページでは画像の右上の位置）が表示されている。なお、履歴情報として表示するヤレ情報はページ番号やヤレの位置に限定されず、ヤレが検知された部数や、ヤレが検知されたページの読み取り画像そのものをサムネイル表示してもよい。
出力履歴情報において、ヤレと判定されたジョブの情報にヤレ情報を付加して表示することで、ユーザーが容易にヤレ画像の確認を行うことが可能となる。
【００６９】
なお、ジョブ詳細画面１８００において、ヤレ情報１８１０の右下に表示されているヤレ確認釦１８２０は、ユーザーがヤレを確認済みであることを示すための釦である。ユーザーがヤレ画像を確認した後にヤレ確認釦１８２０を押下することで、出力履歴表示画面において、ヤレ確認済みであることを示すマークが付与される。例えば、図６の例のように、ヤレ確認釦が押されたジョブにおいては「※」マークがチェックマークに変更される。なお、ヤレ確認の欄を別に設けて確認がなされたかの表示を行うようにしてもよい。確認済みの表示により、ユーザーがヤレ画像を確認済みであるかを容易に把握することが可能となる。
なお、画像の不良が発生していないジョブに関するジョブ詳細画面では、ヤレ情報に情報は表示されず、ヤレ確認釦をグレーアウトなどすることができる。また、ヤレ確認釦を表示しないようにしてもよい。
ジョブ詳細画面１８００においてヤレ情報の確認またはヤレ確認釦の押下が終了すると、閉じる釦１８２１を押下することにより、履歴表示画面へ戻ることができる。
【００７０】
表示画面１４００、１５００、１６００または表示画面１７００において、ヤレリスト表示釦１４４０、１５４０、１６４０またはヤレリスト表示釦１７４０が押下されると、出力済みの履歴情報のうち、ヤレが発生しているジョブのみを抽出して出力リストとして表示することができる。
図８の表示画面は、ヤレが発生したジョブのみをヤレ出力履歴リスト１９００として表示することができる。この表示によりヤレが発生しているジョブを容易に把握することができる。例えば、出力済みのジョブが多数ある場合に、ヤレが発生したジョブのみをまとめて表示することでヤレの発生状況を容易に把握することができる。
【００７１】
次に、履歴表示画面において、出力済みジョブの情報にヤレ情報を付加して表示する際の手順を図９のフローチャートに基づいて説明する。以下の手順は、画像形成装置１の制御部または画像形成装置１を管理する外部制御部４１０の制御により実行される。
まず、ジョブに基づいて用紙上に印刷された画像の読み取りを行い（ステップｓ１）、画像に不良（ヤレ）が発生しているかを判定する（ステップｓ２）。判定の方法としては、例えば、読み取った画像と印刷画像データとの比較を行い、両者に所定の差分が発生している場合にヤレであると判定することができる。
【００７２】
画像がヤレであると判定された場合（ステップｓ２、Ｙｅｓ）、出力したジョブの情報にヤレ情報を付加する（ステップｓ３）。ヤレ情報としては、ヤレの有無を示す情報や、ヤレ画像が含まれるページ番号、ヤレの位置、ヤレ画像のデータ、ヤレ検出率等が挙げられる。ステップｓ３後、出力履歴にジョブ情報を記載し（ステップｓ４）、手順を終了する。出力履歴の表示を行う際には、ヤレを検出したジョブであることを示すマークを付与してもよく、ヤレの検出率を示すようにしてもよい。または、ヤレの情報としてヤレ位置やページ数等を表示してもよく、ヤレ確認釦を履歴に表示し、ユーザーがヤレ画像を確認してヤレ確認釦を押下した際には、履歴画面における表示を変更するようにしてもよく、履歴表示画面におけるヤレ情報の表示内容は特に限定されない。
一方、読み取った画像がヤレでないと判定された場合（ステップｓ２、Ｎｏ）、ステップｓ４に移行して出力履歴にジョブ情報を記載し、手順を終了する。
上記手順によれば、出力履歴におけるジョブ情報にヤレの情報が付加されるため、出力履歴画面においてヤレの情報を確認することが可能となる。
【００７３】
さらに、画像形成装置１では、出力履歴表示画面において、ヤレが検出されたジョブのみを抽出したヤレリストを提示することができる。
例えば、図３の例において、ヤレリスト表示釦１４４０が押下されると、ヤレが検知された「テスト００２」のジョブのみが表示される。これにより、ユーザーがヤレジョブを容易に把握することが可能となっている。
【００７４】
図１０は、ヤレリストを表示する際の動作手順を示すフローチャートである。以下の手順は、画像形成装置１の制御部または外部装置４の外部制御部４００によって行われる。
ジョブの出力履歴表示画面においてヤレリスト表示釦が押下されると（ステップｓ１０）、出力履歴リストのジョブにヤレ情報があるかを判定する（ステップｓ１１）。ヤレ情報がある場合（ステップｓ１１、Ｙｅｓ）、ヤレのあるジョブ情報のみを抽出し（ステップｓ１２）、ヤレリストにヤレ情報のあるジョブを記載する（ステップｓ１３）。その後、手順を終了する。一方、出力履歴リスト内のジョブにヤレ情報が含まれていない場合（ステップｓ１１、Ｎｏ）、手順を終了する。
上記手順によれば、ヤレが検出されたジョブのみがヤレリストとして抽出されて提示可能となり、ユーザーはヤレの含まれるジョブを容易に把握することができ、ヤレ確認を容易に行うことが可能となる。
【００７５】
さらに、画像形成装置１では、ヤレが検出された際に、出力履歴の表示やヤレ情報の確認を促してもよい。例えば、表示画面が複数のタブによって情報の表示を行うものである場合であって、複数のタブのうち、一つのタブに出力済みのジョブの履歴を表示する場合、不良が検出された際に、ジョブ履歴が含まれるタブを識別可能に表示する。例えば、ジョブ履歴が含まれるタブを点滅される。
例えば、図４の例では、ヤレが検出されたときにジョブリストタブ１４１０を点滅させる。これにより、ヤレ検知時にユーザーに確認を促すことができる。
なお、上記説明ではジョブリストタブのみを点滅させるとしたが、本発明としては点滅させる領域は特に限定されず、例えば出力履歴タブの点滅を行うようにしてもよい。通知の方法は点滅でなくてもよく、例えばタブの色を変えることによって通知を行ってもよい。タブを点滅させるタイミングは本発明としては特に限定されず、ヤレが検知された時点でタブを点滅させてもよく、ヤレが検知されたジョブの出力完了後にタブを点滅させてもよい。
【００７６】
ヤレ検出時にタブを点滅させる動作の手順を図１１のフローチャートに基づいて説明する。以下の手順は、画像形成装置１の制御部または外部装置４の外部制御部４００によって実施される。
用紙上に印刷された画像の読み取りを行い（ステップｓ２０）、画像がヤレ（不良）であるかを判定する（ステップｓ２１）。画像がヤレである場合（ステップｓ２１、Ｙｅｓ）、ジョブリストタブを点滅させ（ステップｓ２２）、手順を終了する。画像がヤレでない場合（ステップｓ２１、Ｎｏ）、ジョブリストタブを点滅させることなく手順を終了する。
上記手順によれば、ヤレが検出された際にユーザーに対し、ヤレが発生していることを通知することができる。
【００７７】
なお、上記各実施形態の説明では、履歴情報を表示部へ表示するものとして説明したが、本発明としては、出力履歴は表示に限定されるものではなく、各種の方法で提示可能とするものする。例えば、用紙に履歴情報の印刷を行ってもよく、履歴情報を外部へ送信してもよい。送信先では、履歴情報を表示したり、印刷したりすることができる。送信先としては、外部装置や端末などの表示装置、遠隔装置などが挙げられる。
【００７８】
以上、本発明について上記実施形態に基づいて説明を行ったが、上記説明は本発明の範囲を限定するものではなく、本発明の範囲を逸脱しない限りにおいては適宜の変更が可能である。
【符号の説明】
【００７９】
１  画像形成装置
３  ネットワーク
４  外部装置
１０  装置本体
１１  画像形成部
１３  搬送路
２０  中継装置
３０  読取装置
３１  画像読取部
３２  画像読取部
３３  搬送路
３４  測色計
１００  制御部
１１３  制御ＣＰＵ
１２５  Ｉ／Ｏ
１４０  操作部
１５０  プリンター部
１４００  表示画面
１４１１  出力履歴タブ
１４２０  出力履歴リスト
１４２１  ヤレ検知表示欄
１４２２  マーク
１４３０  詳細釦
１４４０  ヤレリスト表示釦
１５００  表示画面
１５１１  出力履歴タブ
１５２０  出力履歴リスト
１５２１  ヤレ検知表示欄
１５２２  マーク
１５２３  ヤレ検出率欄
１５３０  詳細釦
１５４０  ヤレリスト表示釦
１６００  表示画面
１６１１  出力履歴タブ
１６２０  出力履歴リスト
１６２１  ヤレ検知表示欄
１６２２  マーク
１６２３  ヤレ検出率欄
１７００  表示画面
１７１１  出力履歴タブ
１７２０  出力履歴リスト
１７２１  ヤレ検知表示欄
１７２２  マーク
１７２３  ヤレ検出率欄
１７２５  チェックマーク
１８００  ジョブ詳細画面
１９００  表示画面
１９２０  ヤレ出力履歴リスト
【図１】
2019005905.tif 000003
【図２】
2019005905.tif 000004
【図３】
2019005905.tif 000005
【図４】
2019005905.tif 000006
【図５】
2019005905.tif 000007
【図６】
2019005905.tif 000008
【図７】
2019005905.tif 000009
【図８】
2019005905.tif 000010
【図９】
2019005905.tif 000011
【図１０】
2019005905.tif 000012
【図１１】
2019005905.tif 000013